【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
複数チャンネルの音声情報を有する音声情報データを記録媒体に記録する情報記録装置において、
複数の音声情報データを所定単位毎に記録すると共に、前記所定単位毎に当該所定単位に記録される音声情報データの種類を特定するための個別記録内容情報データと、当該記録媒体に記録される全ての所定単位に関する音声情報データの種類を特定するための情報を集めた集合記録内容情報データと、を前記記録媒体に記録する記録手段を備えたことを特徴とする情報記録装置。
【請求項２】
前記記録手段は、前記音声情報データが有する各チャンネルの音声情報の種類を特定するための情報を前記個別記録内容情報及び前記集合記録内容情報として記録することを特徴とする請求項１に記載の情報記録装置。
【請求項３】
前記音声情報データは複数のストリームを有すると共に、１つのストリームには複数チェンネルの音声情報が含まれ、
前記記録手段は、当該ストリームに含まれる各チャンネルの種類を特定する情報を前記個別記録内容情報及び前記集合記録内容情報として記録することを特徴とする請求項１又は２に記載の情報記録装置。
【請求項４】
前記記録手段は、前記個別記録内容情報データを当該個別記録内容情報データが音声情報データの種類を特定する前記所定単位のヘッダー部分に記録することを特徴とする請求項１乃至３のいずれか一項に記載の情報記録装置。
【請求項５】
前記記録媒体がディスク形状を有し、
前記記録手段は前記集合記録内容情報データを前記所定単位よりも内周の位置に記録することを特徴とする請求項１乃至４のいずれか一項に記載の情報記録装置。
【請求項６】
前記集合記録内容情報は、各所定単位毎に記録される個別記録内容情報を一箇所に集めた情報であることを特徴とする請求項１乃至５のいずれか一項に記載の情報記録装置。
【請求項７】
前記記録手段は、同一種類の音声情報データに対し、共通となる前記個別記録内容情報を記録することを特徴とする請求項１に記載の情報記録装置。
【請求項８】
所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとが記録された記録媒体から任意の音声情報データを再生する情報再生装置であって、
前記記録媒体から前記音声情報データと前記個別記録内容情報データと前記集合記録内容情報を読み出す読出手段と、
読み出した前記記録内容情報データに基づいて再生可能な前記音声情報データが有する複数チャンネルの音声情報を判別する判別手段と、
再生させるべき前記チャンネルの音声情報を指示するための指示手段と、
前記判別手段の判別結果及び前記指示に基づいて、読み出した前記音声情報データから再生すべき前記指定に対応する音声情報を抽出し、再生して出力する再生手段と、
を備えたことを特徴とする情報再生装置。
【請求項９】
前記指示手段は、再生させるべき前記複数チャンネルの組み合わせを指示することを特徴とする請求項８に記載の情報再生装置。
【請求項１０】
前記記録媒体には複数のストリームが音声情報データとして記録され、且つ１つのストリームには複数チャンネルの音声情報が記録されており、前記各チャンネルの種類を特定する情報はストリーム毎にまとめて記録されていることを特徴とする請求項８又は９に記載の情報再生装置。
【請求項１１】
読み出した前記記録内容情報データに基づいて、選択可能な音声情報の組み合わせの表示を行なう表示手段を備えたことを特徴とする請求項８乃至１０のいずれか一項に記載の情報再生装置。
【請求項１２】
前記音声内容情報は、対応する前記複数チャンネルの音声情報がガイドメロディを含むか否かを示す音声内容情報であることを特徴とする請求項８乃至１１のいずれか一項に記載の情報再生装置。
【請求項１３】
前記音声内容情報は、対応する前記複数チャンネルの音声情報がボーカル音声を含むか否かを示す音声内容情報であることを特徴とする請求項８乃至１２のいずれか一項に記載の情報再生装置。
【請求項１４】
所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとが記録された記録媒体を再生する情報再生方法であって、
前記記録媒体から前記音声情報データと前記個別記録内容情報データと前記集合記録内容情報とを読み取る工程と、
読み取った前記記録内容情報データに基づいて再生可能な前記音声情報データを選択する工程と、
からなることを特徴とする情報再生方法。
【請求項１５】
再生すべき複数のチャンネルの組合わせを指示する工程を更に備え、
前記音声内容情報を用い、指示された組合わせの前記複数のチャンネルを選択する工程を含むことを特徴とする請求項１４に記載の情報再生方法。
【請求項１６】
前記記録媒体には複数のストリームが音声情報データとして記録され、且つ１つのストリームには複数チャンネルの音声情報が記録されており、前記各チャンネルの種類を特定する情報はストリーム毎にまとめて記録されていることを特徴とする請求項１４又は１５に記載の情報再生方法。
【請求項１７】
選択された音声チャンネルを再生する工程を更に備えることを特徴とする請求項１４乃至１６のいずれか一項に記載の情報再生方法。
【請求項１８】
前記音声内容情報は、対応する前記複数チャンネルの音声情報がガイドメロディを含むか否かを示す音声内容情報であることを特徴とする請求項１４乃至１７のいずれか一項に記載の情報再生方法。
【請求項１９】
前記音声内容情報は、対応する前記複数チャンネルの音声情報がボーカル音声を含むか否かを示す音声内容情報であることを特徴とする請求項１４乃至１８のいずれか一項に記載の情報再生方法。
【請求項２０】
前記記録媒体はマスタディスクであることを特徴とする請求項１又は７に記載の情報記録装置。
【請求項２１】
前記マスタディスクに基づいてレプリカディスクを作成する手段を更に備えることを特徴とする請求項２０に記載の情報記録装置。
【請求項２２】
請求項２１に記載の記録装置によって作成されたことを特徴とするレプリカディスク。
【請求項２３】
複数チャンネルの音声情報を有する音声情報データを記録媒体に記録する情報記録方法であって、
所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとを記録する工程を備えたことを特徴とする情報記録方法。
【請求項２４】
前記記録媒体はマスタディスクであることを特徴とする請求項２３に記載の情報記録方法。
【請求項２５】
前記マスタディスクに基づいてレプリカディスクを作成する工程を更に備えることを特徴とする請求項２４に記載の情報記録方法。
【請求項２６】
請求項２５に記載の記録方法を用いて作成されたことを特徴とするレプリカディスク。
【請求項２７】
前記記録する工程においては、複数のストリームが音声情報データとして記録し、且つ１つのストリームには複数チャンネルの音声情報を記録すると共に、前記各チャンネルの種類を特定する情報をストリーム毎にまとめて当該記録媒体に記録することを特徴とする請求項２３乃至２５のいずれか一項に記載の情報記録方法。
【請求項２８】
前記音声内容情報は、対応する前記複数チャンネルの音声情報がガイドメロディを含むか否かを示す音声内容情報であることを特徴とする請求項２３乃至２５又は２７のいずれか一項に記載の情報記録方法。
【請求項２９】
前記音声内容情報は、対応する前記複数チャンネルの音声情報がボーカル音声を含むか否かを示す音声内容情報であることを特徴とする請求項２３乃至２５又は２７のいずれか一項に記載の情報記録方法。
【手続補正２】
【補正対象書類名】明細書
【補正対象項目名】００１１
【補正方法】変更
【補正の内容】
【００１１】
上記課題を解決するため、請求項１記載の発明は、複数チャンネルの音声情報を有する音声情報データを記録媒体に記録する情報記録装置において、複数の音声情報データを所定単位毎に記録すると共に、前記所定単位毎に当該所定単位に記録される音声情報データの種類を特定するための個別記録内容情報データと、当該記録媒体に記録される全ての所定単位に関する音声情報データの種類を特定するための情報を集めた集合記録内容情報データと、を前記記録媒体に記録する記録手段を備える。
【手続補正３】
【補正対象書類名】明細書
【補正対象項目名】００１２
【補正方法】変更
【補正の内容】
【００１２】
上記課題を解決するため、請求項８記載の発明は、所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとが記録された記録媒体から任意の音声情報データを再生する情報再生装置であって、前記記録媒体から前記音声情報データと前記個別記録内容情報データと前記集合記録内容情報を読み出す読出手段と、読み出した前記記録内容情報データに基づいて再生可能な前記音声情報データが有する複数チャンネルの音声情報を判別する判別手段と、再生させるべき前記チャンネルの音声情報を指示するための指示手段と、前記判別手段の判別結果及び前記指示に基づいて、読み出した前記音声情報データから再生すべき前記指定に対応する音声情報を抽出し、再生して出力する再生手段と、を備える。
【手続補正４】
【補正対象書類名】明細書
【補正対象項目名】００１３
【補正方法】変更
【補正の内容】
【００１３】
上記課題を解決するため、請求項１４記載の発明は、所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとが記録された記録媒体を再生する再生方法であって、前記記録媒体から前記音声情報データと前記個別記録内容情報データと前記集合記録内容情報とを読み取る工程と、読み取った前記記録内容情報データに基づいて再生可能な前記音声情報データを選択する工程と、からなる。
【手続補正５】
【補正対象書類名】明細書
【補正対象項目名】００１４
【補正方法】変更
【補正の内容】
【００１４】
上記課題を解決するため、請求項２２記載の発明のレプリカディスクは、請求項２１に記載の記録装置によって作成されている。
【手続補正６】
【補正対象書類名】明細書
【補正対象項目名】００１５
【補正方法】変更
【補正の内容】
【００１５】
上記課題を解決するため、請求項２３記載の発明は、複数チャンネルの音声情報を有する音声情報データを記録媒体に記録する情報記録方法であって、所定単位からなる複数チャンネルの音声情報を有する音声情報データと、前記所定単位に記録される前記音声情報データが有する各チャンネルの音声情報の種類を特定するための個別記録内容情報データと、全ての所定単位における前記音声情報データが有する各チャンネルの音声情報の種類を特定するための情報を集めた集合記録内容情報データとを記録する工程を備える。
【手続補正７】
【補正対象書類名】明細書
【補正対象項目名】００１６
【補正方法】変更
【補正の内容】
【００１６】
上記課題を解決するため、請求項２６記載の発明のレプリカディスクは、請求項２５に記載の記録方法を用いて作成されている。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】